(57)【要約】【課題】  複数種類のカードとして利用することが可能なセキュリティレベルの高いセキュリティカード、及びセキュリティカードシステムを提供することを目的とする。【解決手段】  リーダライタにセキュリティカードを近づけることにより管理システムから電源供給を受ける。そして、指紋認証を行った後（２５０〜２５４）に、管理システムから送信されるアプリケーションＩＤ（ＡＰ−ＩＤ）を受信して（２５６）、予めメモリに記憶されたデザイン画像からＡＰ−ＩＤに対応するデザイン画像を選択してデザイン表示部に表示すると共に（２６２）、予めメモリに記憶されたＩＤ及びパスワード（ＰＷ）からＡＰ−ＩＤに対応するＩＤ及びＰＷを選択して管理システムに送信する（２６４）。【選択図】        図７
2006268570.tif 000002
【特許請求の範囲】
【請求項１】
少なくとも一部の生体情報を読み取る読取手段と、前記読取手段によって読み取った生体情報を予め定めた形式のデータに変換する変換手段と、前記変換手段によって変換されたデータを登録する登録手段と、前記登録手段によって予め登録された前記データと、前記読取手段によって読み取って前記変換手段によって変換された前記データとを照合する生体認証手段と、を備えた、複数のシステムを利用するためのセキュリティカードであって、
各システムを特定するための特定情報、各システム毎に予め設定された暗号情報、及び前記生体情報を含むテーブルを予め記憶する記憶手段と、
前記システムから前記特定情報を含む情報の送受を行う通信手段と、
前記生体認証手段による照合結果が一致した場合に、前記通信手段によって受信した前記特定情報から前記記憶手段に記憶された前記特定情報に対応する前記暗号情報を選択する選択手段と、
前記選択手段によって選択された前記暗号情報を前記システムに送信するように前記通信手段を制御する制御手段と、
を備えることを特徴とするセキュリティカード。
【請求項２】
少なくとも一部の生体情報を読み取る読取手段と、前記読取手段によって読み取った生体情報を予め定めた形式のデータに変換する変換手段と、前記変換手段によって変換されたデータを登録する登録手段と、前記登録手段によって予め登録された前記データと、前記読取手段によって読み取って前記変換手段によって変換された前記データとを照合する生体認証手段と、を備えた、複数のシステムを利用するためのセキュリティカードであって、
各システムを特定するための特定情報、各システム毎に予め設定された暗号情報、各システムを表す画像情報、及び前記生体情報を含むテーブルを予め記憶する記憶手段と、
前記システムから前記特定情報を含む情報の送受を行う通信手段と、
前記画像情報に基づく画像の表示を行う表示手段と、
前記生体認証手段による照合結果が一致した場合に、前記通信手段によって受信した前記特定情報から前記記憶手段に記憶された前記特定情報に対応する前記暗号情報及び前記画像情報を選択する選択手段と、
前記選択手段によって選択された前記暗号情報を前記システムに送信するように前記通信手段を制御すると共に、前記選択手段によって選択された前記画像情報に基づく画像を表示するように前記表示手段を制御する制御手段と、
を備えることを特徴とするセキュリティカード。
【請求項３】
前記生体情報が指紋情報であることを特徴とする請求項１又は請求項２に記載のセキュリティカード。
【請求項４】
複数のシステムの中から利用するシステムを選択するための入力を行う入力手段を更に備え、前記入力手段の入力結果に対応する前記特定情報を用いて前記選択手段による選択を行うことを特徴とする請求項１乃至請求項３の何れか１項に記載のセキュリティカード。
【請求項５】
前記生体情報が指紋情報からなり、前記記憶手段が、前記テーブルとして、前記特定情報及び前記暗号情報と、前記指紋情報とを関連づけて記憶し、前記生体認証手段によって認証された前記指紋情報に対応する前記特定情報を用いて前記選択手段による選択を行うことを特徴とする請求項１に記載のセキュリティカード。
【請求項６】
前記生体情報が指紋情報からなり、前記記憶手段が、前記テーブルとして、前記特定情報、前記暗号情報、及び前記画像情報と、前記指紋情報とを関連付けて記憶し、前記生体認証手段によって認証された前記指紋情報に対応する前記特定情報を用いて前記選択手段による選択を行うことを特徴とする請求項２に記載のセキュリティカード。
【請求項７】
請求項１乃至請求項６の何れか１項に記載のセキュリティカードと、
前記通信手段と通信を行うシステム通信手段を備えて前記セキュリティカードに対応するシステムを管理する管理システムと、
を備えたセキュリティカードシステム。
【請求項８】
請求項４乃至請求項６の何れか１項に記載のセキュリティカードと、
複数種類のシステムに対応し、前記通信手段と通信を行うシステム通信手段を備えて各システムを管理する管理システムと、
を備えたセキュリティカードシステム。
【発明の詳細な説明】
【技術分野】
【０００１】
本発明は、セキュリティカード及びセキュリティカードシステムにかかり、特に、ＡＴＭカード、クレジットカード、住基カード等の個人を確認可能なセキュリティカード及びセキュリティカードシステムに関する。
【背景技術】
【０００２】
一般的に使用されているカードとしては、銀行のＡＴＭカード、クレジットカード、住基カード等の多種のものがあるが、それぞれカード単体では個人認証できないため、他人でも利用可能であり、セキュリティレベルが低い。
【０００３】
そこで、特許文献１、２に記載の技術では、カードに指紋認証機能を備えた技術が提案されている。詳細には、特許文献１、２の技術では、指紋読取部で読み取った指紋を予め指紋データが登録された使用者の指紋と照合する指紋識別手段を備えたＩＣカードが提案されている。このように指紋認証機能をカード自体に設けることによってセキュリティレベルを向上させることができる。
【０００４】
また、他の認証方法としては、例えば、特許文献３に記載の技術が提案されている。特許文献３に記載の技術では、ＩＣカード上に複数の感圧センサを設けて、感圧センサの押圧状態を判断して個人認証を行うことが提案されている。
【０００５】
また、指紋認証の技術を応用した技術としては、例えば、特許文献４、５に記載の技術が提案されている。特許文献４、５に記載の技術では、指紋認証機能を備えた携帯電話が提案されており、指紋認証を用いて携帯電話の機能制限等を行うことが提案されている。
【０００６】
一方、ＩＣカードの技術としては、特許文献４、５の技術のように、情報表示手段を備えて、カード表面に情報を表示するものなども提案されている。
【特許文献１】特開２００２−２２２４０７号公報
【特許文献２】特開平１１−３１２２２５号公報
【特許文献３】特開平１１−１８００３６号公報
【特許文献４】特開２００２−３４０７５号公報
【特許文献５】特開２００３−１４３２９０号公報
【特許文献６】特開２００４−１９２３１４号公報
【特許文献７】特開２００４−２１２８８号公報
【発明の開示】
【発明が解決しようとする課題】
【０００７】
しかしながら、特許文献１〜３に記載の技術のように、個人認証機能を備えたカードであっても、セキュリティレベルを確保することができるものの、ＡＴＭカード、クレジットカード、住基カードなどの複数種類のカードを持ち歩くのは煩わしい、という問題がある。
【０００８】
本発明は、上記問題を解決すべく成されたもので、複数種類のカードとして利用することが可能なセキュリティレベルの高いセキュリティカード、及びセキュリティカードシステムを提供することを目的とする。
【課題を解決するための手段】
【０００９】
上記目的を達成するために請求項１に記載のセキュリティカードは、少なくとも一部の生体情報を読み取る読取手段と、前記読取手段によって読み取った生体情報を予め定めた形式のデータに変換する変換手段と、前記変換手段によって変換されたデータを登録する登録手段と、前記登録手段によって予め登録された前記データと、前記読取手段によって読み取って前記変換手段によって変換された前記データとを照合する生体認証手段と、を備えた、複数のシステムを利用するためのセキュリティカードであって、各システムを特定するための特定情報、各システム毎に予め設定された暗号情報、及び前記生体情報を含むテーブルを予め記憶する記憶手段と、前記システムから前記特定情報を含む情報の送受を行う通信手段と、前記生体認証手段による照合結果が一致した場合に、前記通信手段によって受信した前記特定情報から前記記憶手段に記憶された前記特定情報に対応する前記暗号情報を選択する選択手段と、前記選択手段によって選択された前記暗号情報を前記システムに送信するように前記通信手段を制御する制御手段と、を備えることを特徴としている。
【００１０】
請求項１に記載の発明によれば、読取手段では、少なくとも一部の生体情報が読み取られる。生体情報としては、例えば、請求項３に記載の発明のように指紋情報を適用することができる。また、この他の生体情報としては、例えば、声紋情報、体温情報、静脈情報、筆跡情報等を適用するようにしてもよい。
【００１１】
変換手段では、読取手段によって読み取った生体情報が予め定めた形式のデータに変換され、登録手段では変換手段によって変換されたデータが登録される。そして、生体認証手段では登録手段によって予め登録されたデータと、読取手段によって読み取って変換手段によって変換されたデータとが照合されて、複数のシステムが使用可能となる。
【００１２】
一方、記憶手段には、各システムを特定するための特定情報、各システム毎に予め設定された暗号情報、及び登録手段によって登録された生体情報を含むテーブルが記憶され、通信手段ではシステムから特定情報を含む情報の送受が行われる。
【００１３】
ここで、セキュリティカードが複数のシステムに対応可能であるので、選択手段では生体認証手段による照合結果が一致した場合に、通信手段によって受信した特定情報から記憶手段に記憶された特定情報に対応する暗号情報が選択される。そして、制御手段では、選択手段によって選択された暗号情報をシステムに送信するように通信手段が制御される。すなわち、このように構成することによって、１枚のセキュリティカードで複数種類のシステムに対応することができる。
【００１４】
また、セキュリティカードに読取手段、変換手段、登録手段、及び生体認証手段を備えているので、生体認証をセキュリティカード自体で行うことができ、個人情報の漏洩する恐れが無く、高いセキュリティレベルを保持することができる。
【００１５】
請求項２に記載のセキュリティカードは、少なくとも一部の生体情報を読み取る読取手段と、前記読取手段によって読み取った生体情報を予め定めた形式のデータに変換する変換手段と、前記変換手段によって変換されたデータを登録する登録手段と、前記登録手段によって予め登録された前記データと、前記読取手段によって読み取って前記変換手段によって変換された前記データとを照合する生体認証手段と、を備えた、複数のシステムを利用するためのセキュリティカードであって、各システムを特定するための特定情報、各システム毎に予め設定された暗号情報、各システムを表す画像情報、及び前記生体情報を含むテーブルを予め記憶する記憶手段と、前記システムから前記特定情報を含む情報の送受を行う通信手段と、前記画像情報に基づく画像の表示を行う表示手段と、前記生体認証手段による照合結果が一致した場合に、前記通信手段によって受信した前記特定情報から前記記憶手段に記憶された前記特定情報に対応する前記暗号情報及び前記画像情報を選択する選択手段と、前記選択手段によって選択された前記暗号情報を前記システムに送信するように前記通信手段を制御すると共に、前記選択手段によって選択された前記画像情報に基づく画像を表示するように前記表示手段を制御する制御手段と、を備えることを特徴としている。
【００１６】
請求項２に記載の発明によれば、読取手段では、少なくとも一部の生体情報が読み取られる。生体情報としては、例えば、請求項３に記載の発明のように指紋情報を適用することができる。また、この他の生体情報としては、例えば、声紋情報、体温情報、静脈情報、筆跡情報等を適用するようにしてもよい。
【００１７】
変換手段では、読取手段によって読み取った生体情報が予め定めた形式のデータに変換され、登録手段では変換手段によって変換されたデータが登録される。そして、生体認証手段では登録手段によって予め登録されたデータと、読取手段によって読み取って変換手段によって変換されたデータとが照合されて、複数のシステムが使用可能となる。
【００１８】
一方、記憶手段には、各システムを特定するための特定情報、各システム毎に予め設定された暗号情報、システムを表す画像情報、及び登録手段によって登録された生体情報を含むテーブルが記憶され、通信手段ではシステムから特定情報を含む情報の送受が行われる。
【００１９】
ここで、セキュリティカードが複数のシステムに対応可能であるので、選択手段では生体認証手段による照合結果が一致した場合に、通信手段によって受信した特定情報から記憶手段に記憶された特定情報に対応する暗号情報及び画像情報が選択される。そして、制御手段では、選択手段によって選択された暗号情報をシステムに送信するように通信手段が制御されると共に、選択手段によって選択された画像情報に基づく画像を表示するように表示手段が制御される。すなわち、このように構成することによって、１枚のセキュリティカードで複数種類のシステムに対応することができる。
【００２０】
また、セキュリティカードに読取手段、変換手段、登録手段、及び生体認証手段を備えているので、生体認証をセキュリティカード自体で行うことができ、個人情報の漏洩する恐れが無く、高いセキュリティレベルを保持することができる。
【００２１】
さらに、利用するシステムに対応する画像が表示手段に表示されるので、どのシステムを利用しているかセキュリティカードの表示手段を確認することでシステムの利用を明示的に行うことができる。
【００２２】
なお、通信手段によって情報の送受を行う装置が複数種類のシステムに対応している場合には、請求項４に記載の発明のように、複数のシステムの中から利用するシステムを選択するための入力を行う入力手段を更に備えて、入力手段の入力結果に対応する特定情報を用いて選択手段による選択を行うようにしてもよいし、請求項１に記載の発明の場合には、請求項５に記載の発明のように、生体情報が指紋情報からなり、記憶手段が、テーブルとして、特定情報及び暗号情報と、指紋情報とを関連づけて記憶し、生体認証手段によって認証された指紋情報に対応する特定情報を用いて選択手段による選択を行うようにしてもよいし、請求項２に記載の発明の場合には、請求項６に記載の発明のように、生体情報が指紋情報からなり、記憶手段が、テーブルとして、特定情報、暗号情報、及び画像情報と、指紋情報とを関連付けて記憶し、生体認証手段によって認証された指紋情報に対応する特定情報を用いて選択手段による選択を行うようにしてもよい。何れの方法を用いても、通信手段によって情報の送受を行う装置が複数種類のシステムに対応している場合でも所望のシステムを利用することが可能となる。
【００２３】
また、請求項１乃至請求項６の何れか１項に記載のセキュリティカードは、請求項７に記載の発明のように、当該セキュリティカードと、通信手段と通信を行うシステム通信手段を備えてセキュリティカードに対応するシステムを管理する管理システムを備えたセキュリティカードシステムとしてもよい。
【００２４】
さらには、請求項４乃至請求項６の何れか１項に記載のセキュリティカードは、請求項８に記載の発明のように、当該セキュリティカードと、複数種類のシステムに対応し、通信手段と通信を行うシステム通信手段を備えて各システムを管理する管理システムを備えたセキュリティカードシステムとしてもよい。
【発明の効果】
【００２５】
以上説明したように本発明によれば、複数種類のカードとして利用することが可能なセキュリティレベルの高いセキュリティカード、及びセキュリティカードシステムを提供することができる、という効果がある。
【発明を実施するための最良の形態】
【００２６】
以下、図面を参照して本発明の実施の形態の一例を詳細に説明する。
［第１実施形態］
図１は、本発明の第１実施形態に係わるセキュリティカードシステムの概略構成を示す図である。
【００２７】
本発明の第１実施形態に係わるセキュリティカード１０は、図１に示すように、セキュリティカード１０の外表面の一部に指紋入力部１２が設けられ、指紋入力部１２以外の外表面はデザイン表示部１４とされている。
【００２８】
本発明の第１実施形態に係わるセキュリティカード１０は、ＲＦＩＤ（Radio Frequency Identification）を備えたＩＣカードからなり、図１に示すように、指紋入力部１２に指紋を入力しながら、リーダライタ４２にセキュリティカード１０を近づけることにより、リーダライタ４２から電源供給を受けて、指紋認証をセキュリティカード１０内で行うと共に、認証許可された場合にリーダライタ４２が接続されたシステムに対応するカードデザインがセキュリティカード１０表面に表示されるようになっている。
【００２９】
また、本発明の第１実施形態に係わるセキュリティカード１０は、１枚のカードで複数種類のカードとして使用可能とされており、複数種類の上位のシステムに対応した認証を行うと共に、上位のシステムに対応するデザインを表示するようになっている。
【００３０】
図２（Ａ）は、本発明の第１実施形態に係わるセキュリティカード１０の構成を示す図であり、図２（Ｂ）は、本発明の第１実施形態に係わるセキュリティカードシステムの構成を示すブロック図である。
【００３１】
セキュリティカード１０は、図２（Ａ）に示すように、階層構造とされており、アンテナ通信部１８、システムＬＳＩ１６、デザイン表示部１４、及び指紋入力部１２で構成され、アンテナ通信部１８、デザイン表示部１４、及び指紋入力部１２のそれぞれがシステムＬＳＩ１６に電気的に接続されている。
【００３２】
アンテナ通信部１８は、ＲＦＩＤチップからなり、アンテナコイルを含み、リーダライタ４２に近づけることによって発生する誘導電流によって上位のシステム（後述する管理システム）から電源を得ると共に、上位のシステムとの通信を行う。
【００３３】
システムＬＳＩ１６は、セキュリティカード１０で行う指紋認証やデザイン表示等の各種処理を行うと共に、後述する各種インタフェースを備えており、セキュリティカード１０を統括的にコントロールする機能を有する。例えば、超薄型ＳｏＣ（システム・オン、チップ）やＳｉＰ（システム・イン・パッケージ）等を適用することができる。
【００３４】
デザイン表示部１４は、電子ペーパからなり、種々の電子ペーパ技術を適用することで実現可能である。例えば、Ｅ−ｉｎｋ（E ink社によって開発された電子ペーパ）やＱＲ−ＬＰＤ（Quick-Responce Liquid Powder Display）等を適用することができる。
【００３５】
指紋入力部１２は、指の指紋を読み取る部分であり、公知の技術を適用することができ、例えば、超薄型静電タイプの指紋入力部を適用することができる。
【００３６】
セキュリティカード１０のシステムＬＳＩ１６は、詳細には、図２（Ｂ）に示すように、ＣＰＵ２０、画像インタフェース（Ｉ／Ｆ）２２、通信・電源Ｉ／Ｆ３０、指紋Ｉ／Ｆ２８、指紋認証エンジン２６、及びメモリ２４で構成されている。
【００３７】
ＣＰＵ２０は、セキュリティカード１０で行う指紋認証やデザイン表示部１４へのデザインの表示制御を行うようになっており、画像Ｉ／Ｆ２２、指紋認証エンジン２６、メモリ２４、及び通信・電源Ｉ／Ｆ３０が接続されている。
【００３８】
画像Ｉ／Ｆ２２は、デザイン表示部１４に接続され、ＣＰＵ２０の制御によってデザイン表示部１４へのデザイン表示を行う。
【００３９】
通信・電源Ｉ／Ｆ３０は、管理システム４０から電源を得ると共に通信を行うためのアンテナ通信部１８に接続されており、リーダライタ４２に近づけることによって誘導電流が発生し、セキュリティカード１０の動作電源が確保され、管理システム４０との通信が可能となる。
【００４０】
指紋Ｉ／Ｆ２８は、指紋入力部１２によって読み取られた指紋データを指紋認証エンジン２６に取り込み、指紋認証エンジン２６によって、指紋データが予め定められた形式のコード等のデータに変換され、メモリ２４に予め記憶された指紋データと照合を行う。そして、照合結果をＣＰＵ２０に出力する。
【００４１】
メモリ２４には、予め登録した個人情報、予め登録したデザイン表示部１４に表示するためのデザイン、指紋認証を行うための予め登録した指紋データ、カード製造時等に予め登録したセキュリティカード１０の固有ＩＤ、及び予め登録した管理システム４０のアプリケーションＩＤやパスワード（以下、ＰＷと称す。）等が記憶されている。詳細には、複数種類の管理システムに対応する情報がテーブルとしてメモリ２４に記憶されており、認証時に対応する管理システム４０の認証を行う。
【００４２】
続いて、上述のように構成された本発明の第１実施形態に係わるセキュリティカードシステム１０の作用を説明する。
【００４３】
図３は、本発明の実施の形態に係わるセキュリティカードシステムにおいて認証情報登録時の管理システム４０で行われる処理の流れの一例を示すフローチャートである。
【００４４】
まず、始めにステップ１００では、登録許可が登録対象のセキュリティカード１０に送付されてステップ１０２へ移行する。これによって、セキュリティカード１０に認証情報の登録が開始される。
【００４５】
ステップ１０２では、登録ＰＷがキーボード等の入力装置を介して入力されたか否か判定される。該判定が否定された場合には、登録ＰＷが入力されるまで待機してステップ１０４へ移行する。
【００４６】
ステップ１０４では、アプリケーション（ＡＰ）情報（ＡＰシステムのカードデザイン、ＡＰのＩＤ、及びステップ１０２で入力されたＰＷ）が登録対象のセキュリティカード１０に送信される。なお、ＡＰシステムデザイン及びＡＰ−ＩＤは、図５（Ａ）に示すように、管理システム４０に予め記憶されたＡＰシステムデザイン４４及びＡＰシステムデザイン４４に対応するＡＰ−ＩＤ４６がセキュリティカード１０に送信される。
【００４７】
次にステップ１０６では、セキュリティカード１０からカード固有のＩＤを受信したか否か判定され、該判定が肯定されるまで待機してステップ１０８へ移行する。
【００４８】
カードＩＤを受信してステップ１０８へ移行すると、ＡＰ−ＩＤ、ＰＷ、固有ＩＤ等が関連付けられて管理システム４０に登録される。
【００４９】
そして、最後に、ステップ１１０へ移行して、個人情報（例えば、写真等）がステップ１０８で登録した内容に更に関連付けされて登録され、管理システム４０で行われる登録時の処理を終了する。
【００５０】
このように管理システム４０で登録処理を行うことによって、図５（Ａ）に示すような認証を行うための管理システムテーブル４８が作成されて記憶され、後述する通信接続時の処理時に記憶された管理システムテーブル４８に基づいてシステムの使用可否の認証を行う。
【００５１】
次に、本発明の実施の形態に係わるセキュリティカードシステムにおけるセキュリティカード１０側の認証情報登録時の処理について説明する。図４は、本発明の実施の形態に係わるセキュリティカードシステムにおいて認証情報登録時のセキュリティカード１０で行われる処理の流れの一例を示すフローチャートである。なお、図４の処理は、登録する管理システム４０のリーダライタ４２にセキュリティカード１０を近づけることでセキュリティカード１０の電源が供給された状態で行われる。
【００５２】
まず、ステップ１５０では、管理システム４０から登録許可を受信したか否か判定される。該判定は、上述のステップ１００で送信された登録許可をセキュリティカード１０が受信したか否か判定することによってなされ、該判定が否定された場合には肯定されるまで待機してステップ１５２へ移行する。なお、既に他の管理システム４０等で認証情報が登録され、登録許可を受信しない場合には、処理を終了してその他の処理（例えば、後述する通信接続時の処理等）を行う。
【００５３】
ステップ１５２では、登録モードが開始され、ステップ１５４へ移行して、ＡＰ情報を受信したか否か判定される。該判定は、上述のステップ１０４で管理システム４０から送信されたＡＰ情報（ＡＰシステムデザイン、ＡＰ−ＩＤ、ＰＷ等）を受信したか否かを判定することによってなされ、該判定が否定された場合には、肯定されるまで待機してステップ１５６へ移行して、管理システム４０から送信されたＡＰ情報がメモリ２４に登録される。
【００５４】
次にステップ１５８では、カード固有ＩＤが管理システム４０に送信される。カード固有ＩＤは、図５（Ｂ）に示すように、カード製造時等に予めメモリ２４等に記憶されたカード固有ＩＤ５０が管理システム４０に送信される。
【００５５】
続いて、ステップ１６０では、指紋情報が読み取られたか否か判定される。該判定は、指紋入力部１２に接触している指の指紋を読み取ったか否かを判定することによってなされ、該判定が否定された場合には肯定されるまで待機してステップ１６２へ移行する。
【００５６】
ステップ１６２では、指紋情報変換処理が行われてステップ１６４へ移行する。指紋情報変換処理は、例えば、指紋入力部１２によって読み取られた指紋データを予め定められた形式のコード等のデータに変換する。
【００５７】
ステップ１６４では、個人情報を受信したか否か判定される。該判定は上述のステップ１１０で管理システム４０から送信される写真等の個人情報を受信したか否かを判定することによってなされ、該判定が否定された場合には肯定されるまで待機してステップ１６６へ移行する。なお、写真等の個人情報がない場合には、そのままステップ１６６へ移行するようにしてもよい。
【００５８】
ステップ１６６では、指紋情報、ＡＰ−ＩＤ、ＰＷ、個人情報が関連付けされてメモリ２４に記憶されることによってセキュリティカード１０の登録を終了する。
【００５９】
このように、セキュリティカード１０側で登録処理を行うことによって、図５（Ｂ）に示すような認証を行うためのセキュリティカードテーブル５６が作成されてメモリ２４に記憶されると共に、指紋情報５２や個人情報５４がメモリ２４に記憶され、後述する通信接続時の処理時にメモリ２４に記憶されたセキュリティカードテーブル５６に基づいてシステムの使用可否の認証を行う。
【００６０】
以上のように、管理システム４０及びセキュリティカード１０のそれぞれの登録処理を複数種類のシステムで行うことで、１枚のセキュリティカード１０を複数種類のカードとして使用することが可能となる。
【００６１】
続いて、上述のように認証登録されたセキュリティカードシステムにおいて通信接続時に管理システム４０及びセキュリティカード１０のそれぞれで行われる動作について説明する。
【００６２】
図６は、本発明の第１実施形態に係わるセキュリティカードシステムにおいて通信接続時に管理システム４０で行われる処理の流れの一例を示すフローチャートである。
【００６３】
ステップ２００では、リーダライタ４２に近づけられるセキュリティカード１０の検出を行うためのポーリング信号がリーダライタ４２より送信される。
【００６４】
ステップ２０２では、ポーリング信号を受信したセキュリティカード１０から接続要求を受信したか否か判定される。該判定が否定された場合にはステップ２００に戻ってステップ２０２の判定が肯定されるまで上述の処理が繰り返される。
【００６５】
ステップ２０２の判定が肯定されるとステップ２０４へ移行して、ＡＰ−ＩＤが送信される。すなわち、管理システム４０が運用しているアプリケーションのＩＤがセキュリティカード１０に送信される。
【００６６】
次にステップ２０６では、ＡＰ−ＩＤに対応するＩＤとＰＷをセキュリティカード１０から受信したか否か判定され、該判定が否定された場合にはステップ２１４へ移行して所定時間経過したか否か判定され、該判定が否定された場合には、ステップ２０４に戻ってステップ２０６またはステップ２１４の判定が肯定されるまで上述の処理が繰り返される
ここで、ステップ２１４の判定が肯定された場合には、セキュリティカード１０が対応しないと判断してそのまま処理を終了する。
【００６７】
一方、ステップ２０６の判定が肯定されるとステップ２０８へ移行して、セキュリティカード１０から受信したＩＤとＰＷが一致するか否か判定される。すなわち、セキュリティカード１０から送信されたＩＤとＰＷが図５（Ａ）に示す管理システムテーブル４８に一致するものがあるか否かが判定され、該判定が肯定された場合にはステップ２１０へ移行して接続許可がなされて接続時の処理を終了する。
【００６８】
また、ステップ２０８の判定が否定された場合には、ステップ２１２へ移行して、接続拒否されて接続時の処理を終了する。
【００６９】
次に、セキュリティカード１０側の通信接続時の処理について説明する。図７は、本発明の第１実施形態に係わるセキュリティカードシステムにおいて通信接続時にセキュリティカード１０で行われる処理の流れの一例を示すフローチャートである。なお、図７の処理は、セキュリティカード１０を管理システム４０のリーダライタ４２に近づけてリーダライタ４２から電源が供給された状態で行われる。
【００７０】
ステップ２５０では、指紋入力部１２に指紋情報が入力されたか否か判定される。該判定は指紋情報入力部１２が指紋を読み取って得られた指紋データが指紋認証エンジンに入力されたか否かを判定することによってなされ、該判定が否定された場合には肯定されるまで待機してステップ２５２へ移行する。
【００７１】
ステップ２５２では、指紋認証エンジン２６によって指紋情報変換が行われてステップ２５４へ移行する。例えば、上述したように指紋データが予め定められた形式のコード等のデータに変換される。
【００７２】
ステップ２５４では、指紋情報が一致するか否か指紋認証エンジン２６によって判定される。該判定は、上述の登録処理でメモリ２４に記憶された指紋情報と指紋入力部１２によって読み取られて変換された指紋データが一致するか否かを判定することによってなされ、該判定が否定された場合にはステップ２５０に戻って上述の処理が繰り返され、ステップ２５４の判定が肯定された場合にはステップ２５６へ移行する。すなわち、セキュリティカード１０内で指紋認証が行われる。
【００７３】
ステップ２５６では、ＣＰＵ２０によって通信・電源Ｉ／Ｆ３０を介して管理システム４０にＲＦＩＤ接続要求がなされてステップ２５８へ移行する。これによって、管理システム４０側では、上述のステップ２０２が肯定される。
【００７４】
次にステップ２５８では、セキュリティカード１０に対応するＡＰ−ＩＤを受信したか否かＣＰＵ２０によって判定される。該判定は、上述のステップ２０４で管理システム４０から送信されるＡＰ−ＩＤを受信して、メモリ２４に記憶されたセキュリティカードテーブル５６に、対応するＡＰ−ＩＤがあるか否かを判定することによってなされ、該判定が否定された場合には、ステップ２６０へ移行する。
【００７５】
ステップ２６０では、所定時間経過したか否かＣＰＵ２０によって判定され、該判定が否定された場合にはステップ２５８に戻って上述の処理が繰り返され、ステップ２５８の判定が肯定されるかステップ２６０の判定が肯定されるまで繰り返され、ステップ２６０の判定が肯定された場合には、セキュリティカード１０が管理システム４０に対応していないので、そのまま通信接続の処理を終了する。
【００７６】
一方、ステップ２５８の判定が肯定された場合、すなわち、管理システム４０から送信されるＡＰ−ＩＤがセキュリティカード１０に対応している場合にはステップ２６２へ移行して、受信したＡＰ−ＩＤに対応するデザインが表示される。すなわち、上述の登録処理でメモリ２４に記憶されたセキュリティカードテーブル５６から管理システム４０から送信されるＡＰ−ＩＤに対応するデザイン画像を選択して、画像Ｉ／Ｆ２２を介してデザイン表示部１４への表示を行う。これによって、セキュリティカード１０表面に、図１に示すように、管理システム４０に対応する画像が表示される。
【００７７】
次にステップ２６４では、ＡＰ−ＩＤ用のＩＤ及びＰＷがＣＰＵ２０によって通信・電源Ｉ／Ｆ３０を介して管理システム４０に送信されてステップ２６６へ移行する。すなわち、ＣＰＵ２０はセキュリティカードテーブル５６から管理システム４０から送信されたＡＰ−ＩＤに対応するＡＰ−ＩＤ用のＩＤ及びＰＷをメモリ２４から選択して通信・電源Ｉ／Ｆ３０を介して管理システム４０に送信する。これによって、管理システム４０側では上述のステップ２０８の判定が行われて認証を行うことができる。
【００７８】
ステップ２６６では、接続許可を受信したか否かＣＰＵ２０によって判定される。該判定は、管理システム４０側の上述のステップ２１０で送信される接続許可を受信したか否かを判定することによってなされ、該判定が肯定された場合には、通信接続時の処理を終了する。すなわち、管理システム４０から接続許可を受信することによって認証が完了する。
【００７９】
一方、ステップ２６６の判定が否定された場合には、ステップ２６８へ移行して、エラーメッセージが表示されて、通信接続時の処理を終了する。例えば、ＣＰＵ２０によって予めメモリ２４に記憶されたエラーメッセージを画像Ｉ／Ｆ２２を介してデザイン表示部１４に表示する。これによって接続が拒否されたことをデザイン表示部１４の表示で判断することができる。
【００８０】
なお、管理システム４０の認証後は、使用可否が管理システム４０が使用できるか否かで認識することができるので、ステップ２６６及びステップ２６８は省略するようにしてもよい。
【００８１】
このように本実施形態では、複数種類の管理システムで登録処理を行うことで、複数種類のカードとして使用することができる。また、カード上で指紋認証を行うため、他人は利用不能となり非常に高いセキュリティレベルを保持することができる。
【００８２】
従って、カード上で指紋認証するため、他人は利用不能である非常に高いセキュリティレベルを保持する１枚のカードで、公的証明（例えば、パスポート、住基カード、免許証、健康保険証、資格証明書等）、身分証明書（例えば、社員証、職員証、学生証等）、決済カード（例えば、キャッシュカード、クレジットカード、デジタルキャッシュカード、電子認証等）、セキュリティカード（例えば、入退出管理用、勤怠管理用、コンピュータアクセス管理用等）、鍵（例えば、金庫用、オフィス・住宅・ホテル等の入退出用、自動車用等）、医療用カード（例えば、患者証、診察券、カルテ等）、チケット（例えば、定期券、航空券、乗車券等）、会員カード（例えば、ポイントカード等）などの複数機能を安全かつ安心に利用することができる。
【００８３】
また、指紋入力部１２、登録された指紋データ、照合処理システムなどの指紋認証に必要なシステムが全てＩＣカード内に収まっているので、個人情報が漏洩する恐れがなく高いセキュリティレベルとすることができる。
【００８４】
また、ＲＦＩＤと一体化しているため、カードを持ちながらリーダライタ４２に近づけるだけで管理システムとの通信ができ、簡単且つ迅速に利用することができる。
【００８５】
また、ＩＣカードが複数のアプリケーションの機能を持っている場合でも、システムに応じてカードデザインが変化するので、どの機能を利用しているか一目でわかり、安心して利用することができる。
【００８６】
さらに、指紋登録はセキュリティ運営・管理業者の管理下で行われ、かつ登録時の指紋情報が管理システム４０側のサーバに残らないため、登録時の個人情報保護に対しても高いセキュリティレベルとすることができる。
【００８７】
なお、本実施形態では、管理システム４０からＡＰ−ＩＤを送信することで管理システム４０に対応するか否かを管理システム４０からセキュリティカード１０に問い合わせるようにしたが、これに限るものではなく、例えば、セキュリティカード１０側からセキュリティカード１０に登録されたＡＰ−ＩＤを管理システム４０に送信することで、管理システム４０に対応するＡＰ−ＩＤがあるか否かをセキュリティカード１０から問い合わせる形態としてもよい。
［第２実施形態］
続いて、本発明の第２実施形態に係わるセキュリティカードシステムについて説明する。
【００８８】
第１実施形態では、管理システム４０が単一の種類にのみ対応する場合について説明したが、第２実施形態では、管理システム４１が複数種類のシステムに対応する場合について説明する。
【００８９】
図８（Ａ）は、本発明の第２実施形態に係わるセキュリティカード１１の構成を示す図であり、図８（Ｂ）は、本発明の第２実施形態に係わるセキュリティカードシステムの構成を示すブロック図である。なお、第１実施形態と同一構成については同一符号を付して説明する。
【００９０】
セキュリティカード１１は、図８（Ａ）に示すように、第１実施形態に対して更に選択入力部３２を備えた階層構造とされており、アンテナ通信部１８、システムＬＳＩ１６、デザイン表示部１４、指紋入力部１２、及び選択入力部３２で構成され、アンテナ通信部１８、デザイン表示部１４、指紋入力部１２、及び選択入力部３２のそれぞれがシステムＬＳＩ１６に電気的に接続されている。
【００９１】
アンテナ通信部１８は、ＲＦＩＤチップからなり、アンテナコイルを含み、リーダライタ４２に近づけることによって発生する誘導電流によって上位のシステム（後述する管理システム）から電源を得ると共に、上位のシステムとの通信を行う。
【００９２】
システムＬＳＩ１６は、セキュリティカード１１で行う指紋認証やデザイン表示等の各種処理を行うと共に、後述する各種インタフェースを備えており、セキュリティカード１１を統括的にコントロールする機能を有する。例えば、超薄型ＳｏＣ（システム・オン、チップ）やＳｉＰ（システム・イン・パッケージ）等を適用することができる。
【００９３】
デザイン表示部１４は、電子ペーパからなり、種々の電子ペーパ技術を適用することで実現可能である。例えば、Ｅ−ｉｎｋ（E ink社によって開発された電子ペーパ）やＱＲ−ＬＰＤ（Quick-Responce Liquid Powder Display）等を適用することができる。
【００９４】
指紋入力部１２は、指の指紋を読み取る部分であり、公知の技術を適用することができる。例えば、超薄型静電タイプの指紋入力部を適用することができる。
【００９５】
選択入力部３２は、例えば、一般的なタッチパネル等で使用される静電型のセンサや圧電型のセンサからなり、デザイン表示部１４に表示される画像を透過し、デザイン表示部１４に表示される画像のタッチ操作位置を検出する。
【００９６】
セキュリティカード１１のシステムＬＳＩ１６は、詳細には、図８（Ｂ）に示すように、第１実施形態に対して選択入力部３２及び入力Ｉ／Ｆ３４を更に備えた構成とされ、ＣＰＵ２０、画像インタフェース（Ｉ／Ｆ）２２、通信・電源Ｉ／Ｆ３０、指紋Ｉ／Ｆ２８、指紋認証エンジン２６、メモリ２４、選択入力部３２、及び入力Ｉ／Ｆ３４で構成されている。
【００９７】
ＣＰＵ２０は、セキュリティカード１１で行う指紋認証やデザイン表示部１４へのデザインの表示制御を行うようになっており、画像Ｉ／Ｆ２２、指紋認証エンジン２６、メモリ２４、通信・電源Ｉ／Ｆ３０、及び入力Ｉ／Ｆ３４が接続されている。
【００９８】
画像Ｉ／Ｆ２２は、デザイン表示部１４に接続され、ＣＰＵ２０の制御によってデザイン表示部１４へのデザイン表示を行う。
【００９９】
通信・電源Ｉ／Ｆ３０は、管理システム４１から電源を得ると共に通信を行うためのアンテナ通信部１８に接続されており、リーダライタ４２に近づけることによって誘導電流が発生し、セキュリティカード１１の動作電源が確保され、管理システム４１との通信が可能となる。
【０１００】
指紋Ｉ／Ｆ２８は、指紋入力部１２によって読み取られた指紋データを指紋認証エンジン２６に取り込み、指紋認証エンジン２６によって、指紋データが予め定められた形式のコード等のデータに変換され、メモリ２４に予め記憶された指紋データと照合を行う。そして、照合結果をＣＰＵ２０に出力する。
【０１０１】
メモリ２４には、予め登録した個人情報、予め登録したデザイン表示部１４に表示するためのデザイン、指紋認証を行うための予め登録した指紋データ、カード製造時等に予め登録したセキュリティカード１１の固有ＩＤ、及び予め登録した管理システム４１のアプリケーションＩＤやパスワード（以下、ＰＷと称す。）等が記憶されている。詳細には、複数種類の管理システムに対応する情報がテーブルとしてメモリ２４に記憶されており、認証時に対応する管理システム４１の認証を行う。
【０１０２】
入力Ｉ／Ｆ３４は、選択入力部３２に接続され、選択入力部３２が検出したデザイン表示部１４の画像に対応する位置の検出結果をＣＰＵ２０入力する。すなわち、本実施形態では、選択入力部３２及び入力Ｉ／Ｆ３４を備えることにより、複数種類のシステムの中から利用するシステムを選択するためのスイッチ機能を得ることができる。
【０１０３】
続いて、上述のように構成された本発明の第２実施形態に係わるセキュリティカードシステムの作用を説明する。なお、本発明の第２実施形態に係わるセキュリティカードシステムの認証情報登録時の管理システム４１及びセキュリティカード１１で行われる処理は第１実施形態と同一であるので説明を省略する。
【０１０４】
図９は、本発明の第２実施形態に係わるセキュリティカードシステムにおいて通信接続時に管理システム４１で行われる処理の流れの一例を示すフローチャートである。なお、第１実施形態と同一処理については同一符号を付して説明する。
【０１０５】
ステップ２００では、リーダライタ４２に近づけられるセキュリティカード１１の検出を行うためのポーリング信号がリーダライタ４２より送信される。
【０１０６】
ステップ２０２では、ポーリング信号を受信したセキュリティカード１１から接続要求を受信したか否か判定される。該判定が否定された場合にはステップ２００に戻ってステップ２０２の判定が肯定されるまで上述の処理が繰り返される。
【０１０７】
ステップ２０２の判定が肯定されるとステップ２０３へ移行して、管理システム４１が対応する全種類のＡＰ−ＩＤが送信される。すなわち、管理システム４１が運用している全種類のアプリケーションのＩＤがセキュリティカード１１に送信される。
【０１０８】
次にステップ２０５では、選択情報（ＡＰ−ＩＤとＡＰ−ＩＤ用のＩＤ、ＰＷ）をセキュリティカード１１から受信したか否か判定され、該判定が否定された場合にはステップ２１４へ移行して所定時間経過したか否か判定され、該判定が否定された場合には、上述のステップ２０３に戻ってステップ２０５またはステップ２１４の判定が肯定されるまで処理が繰り返される
ここで、ステップ２１４の判定が肯定された場合には、セキュリティカード１１が対応しないと判断してそのまま処理を終了する。
【０１０９】
一方、ステップ２０５の判定が肯定されるとステップ２０７へ移行して、セキュリティカード１１から受信した後述の選択情報に含まれるＩＤとＰＷが一致するか否か判定される。すなわち、セキュリティカード１１から送信された選択情報から利用するアプリケーションを特定し、当該アプリケーションに対して選択情報に含まれるＩＤとＰＷが管理システムテーブルに一致するものがあるか否かが判定され、該判定が肯定された場合にはステップ２１０へ移行して接続許可がなされて接続時の処理を終了する。なお、本実施形態に係わる管理システム４１は、ＡＰ−ＩＤ及びＡＰシステムデザインの種類に対応して複数種類（管理システム４１が対応するシステムの種類）の管理システムテーブルを備えて、セキュリティカード１１で選択されたＡＰ―ＩＤから管理システムテーブルを選択して使用する。
【０１１０】
また、ステップ２０７の判定が否定された場合には、ステップ２１２へ移行して、接続拒否されて接続時の処理を終了する。
【０１１１】
次に、セキュリティカード１１側の通信接続時の処理について説明する。図１０は、本発明の第２実施形態に係わるセキュリティカードシステムにおいて通信接続時にセキュリティカード１１で行われる処理の流れの一例を示すフローチャートである。なお、図１０の処理は、セキュリティカード１１を管理システム４１のリーダライタ４２に近づけてリーダライタ４１から電源が供給された状態で行われる。また、第１実施形態と同一処理について同一符号を付して説明する。
【０１１２】
ステップ２５０では、指紋入力部１２に指紋情報が入力されたか否か判定される。該判定は指紋情報入力部１２が指紋を読み取って得られた指紋データが指紋認証エンジン２６に入力されたか否かを判定することによってなされ、該判定が否定された場合には肯定されるまで待機してステップ２５２へ移行する。
【０１１３】
ステップ２５２では、指紋認証エンジン２６によって指紋情報変換が行われてステップ２５４へ移行する。例えば、指紋データが予め定められた形式のコード等のデータに変換される。
【０１１４】
ステップ２５４では、指紋情報が一致するか否か指紋認証エンジン２６によって判定される。該判定は、登録処理でメモリ２４に記憶された指紋情報と指紋入力部１２によって読み取られて変換された指紋データが一致するか否かを判定することによってなされ、該判定が否定された場合にはステップ２５０に戻って上述の処理が繰り返され、ステップ２５４の判定が肯定された場合にはステップ２５６へ移行する。すなわち、セキュリティカード１１内で指紋認証が行われる。
【０１１５】
ステップ２５６では、ＣＰＵ２０によって通信・電源Ｉ／Ｆ３０を介して管理システム４１にＲＦＩＤ接続要求がなされてステップ２５７へ移行する。これによって、管理システム４１側では、上述のステップ２０２が肯定される。
【０１１６】
次にステップ２５７では、管理システム４１から送信されたＡＰ−ＩＤを受信したか否かＣＰＵ２０によって判定される。該判定は、上述のステップ２０３で管理システム４１から送信される管理システム４１に対応する全種類のＡＰ−ＩＤを受信して、メモリ２４に記憶されたセキュリティカードテーブル５６（図５参照）に、対応するＡＰ−ＩＤがあるか否かを判定することによってなされ、該判定が否定された場合には、ステップ２６０へ移行する。
【０１１７】
ステップ２６０では、所定時間経過したか否かＣＰＵ２０によって判定され、該判定が否定された場合にはステップ２５７に戻って上述の処理が繰り返され、ステップ２５７の判定が肯定されるかステップ２６０の判定が肯定されるまで繰り返され、ステップ２６０の判定が肯定された場合には、セキュリティカード１１が管理システム４１に対応していないので、そのまま通信接続の処理を終了する。
【０１１８】
一方、ステップ２５７の判定が肯定された場合、すなわち、管理システム４１から送信されるＡＰ−ＩＤの中にセキュリティカード１１に対応するＡＰ−ＩＤがある場合にはステップ２５９へ移行して、ＡＰ−ＩＤを選択するための画面表示が行われる。すなわち、図１１に示すように、複数のシステムに対応している場合には、対応するシステムのデザイン画像の一部等をメモリ２４から読み出して、全種類分表示するように（図１１ではＡ〜Ｆシステム）画像Ｉ／Ｆ２２を介してデザイン表示部１４をＣＰＵ２０が制御する。
【０１１９】
次に、ステップ２６１では、利用するシステムの選択がなされたか否か判定される。該判定は、例えば、選択するシステムの画像が表示されている位置が選択入力部３２にタッチ操作されたか否かを判定することによってなされ、該判定が否定された場合には、肯定されるまで待機してステップ２６３へ移行する。
【０１２０】
ステップ２６３では、選択されたシステム（ＡＰ−ＩＤ）に対応するデザインが表示される。すなわち、選択されたシステム（ＡＰ−ＩＤ）に対応するデザイン画像を選択して、画像Ｉ／Ｆ２２を介してデザイン表示部１４への表示を行う。これによって、セキュリティカード１１の表面が、図１１に示すように、管理システム４１に対応する画像（図１１では、「ｘｘｘ  ＣＡＲＤ」）が表示される。
【０１２１】
次にステップ２６５では、ＡＰ−ＩＤ用のＩＤ及びＰＷがＡＰ−ＩＤと共に選択情報としてＣＰＵ２０によって通信・電源Ｉ／Ｆ３０を介して管理システム４１に送信されてステップ２６６へ移行する。すなわち、ＣＰＵ２０はセキュリティカードテーブル５６から選択されたＡＰ−ＩＤに対応するＡＰ−ＩＤ用のＩＤ及びＰＷをメモリ２４から選択して通信・電源Ｉ／Ｆ３０を介して管理システム４１に送信する。これによって、管理システム４１側では上述のステップ２０５で選択情報を受信して、ステップ２０７の判定が行われて認証を行うことができる。
【０１２２】
ステップ２６６では、接続許可を受信したか否かＣＰＵ２０によって判定される。該判定は、管理システム４１側の上述のステップ２１０で送信される接続許可を受信したか否かを判定することによってなされ、該判定が肯定された場合には、通信接続時の処理を終了する。すなわち、管理システム４１から接続許可を受信することによって認証が完了する。
【０１２３】
一方、ステップ２６６の判定が否定された場合には、ステップ２６８へ移行して、エラーメッセージが表示されて、通信接続時の処理を終了する。例えば、ＣＰＵ２０によって予めメモリ２４に記憶されたエラーメッセージを画像Ｉ／Ｆ２２を介してデザイン表示部１４に表示する。これによって接続が拒否されたことをデザイン表示部１４の表示で判断することができる。
【０１２４】
なお、管理システム４１の認証後は、使用可否が管理システム４１が使用できるか否かで認識することができるので、ステップ２６６及びステップ２６８は省略するようにしてもよい。
【０１２５】
このようにセキュリティカードシステムを構成して処理を行うことによっても第１実施形態と同様の効果を得ることができる。さらには、第２実施形態では、管理システム４１が複数種類のシステムに対応している場合でもセキュリティカード１１にシステムを選択する機能を第１実施形態に対して更に備えているので、所望のシステムを選択して認証を行うことができる。
［第３実施形態］
続いて、本発明の第３実施形態に係わるセキュリティカードシステムについて説明する。
【０１２６】
第２実施形態では、管理システムが複数種類のシステムに対応している場合に、選択入力部３２をセキュリティカード１１に設けて利用するシステムを選択するようにしたが、第３実施形態では、登録する指紋毎（例えば、指毎等）に利用するシステムをセキュリティカードに登録してセキュリティカードの指紋認証時に自動的に利用するシステムを選択するようにしたものである。
【０１２７】
第３実施形態に係わるセキュリティカードの構成は基本的には第１実施形態と同一であり、メモリ２４に記憶されるセキュリティカードテーブルが図１２に示すように指紋毎（図１２の指紋情報Ａ、指紋情報Ｂ・・・）に登録されるだけであるので詳細な説明を省略する。
【０１２８】
続いて、本発明の第３実施形態に係わるセキュリティカードシステムの作用を説明する。なお、登録時の処理は、指紋と管理システムに対応させてセキュリティカードテーブル５８（図１２参照）を作成してメモリ２４に記憶するだけであり、基本的には第１実施形態と同一であるため詳細な説明を省略する。また、通信接続時に管理システム側で行われる処理は第２実施形態と同一であるため説明を省略する。
【０１２９】
図１３は、本発明の第３実施形態に係わるセキュリティカードシステムにおいて通信接続時にセキュリティカードで行われる処理の流れの一例を示すフローチャートである。なお、第２実施形態と同一処理については同一符号を付して説明する。
【０１３０】
ステップ２５０では、指紋入力部１２に指紋情報が入力されたか否か判定される。該判定は指紋情報入力部１２が指紋を読み取って得られた指紋データが指紋認証エンジンに入力されたか否かを判定することによってなされ、該判定が否定された場合には肯定されるまで待機してステップ２５２へ移行する。
【０１３１】
ステップ２５２では、指紋認証エンジン２６によって指紋情報変換が行われてステップ２５５へ移行する。例えば、指紋データが予め定められた形式のコード等のデータに変換される。
【０１３２】
ステップ２５５では、指紋情報が一致するか否か指紋認証エンジン２６によって判定される。該判定は、登録処理でメモリ２４に記憶された複数の指紋情報の中に指紋入力部１２によって読み取られて変換された指紋データが一致するものがあるか否かを判定することによってなされ、該判定が否定された場合にはステップ２５０に戻って上述の処理が繰り返され、ステップ２５５の判定が肯定された場合にはステップ２５６へ移行する。すなわち、セキュリティカード内で指紋認証が行われる。
【０１３３】
ステップ２５６では、ＣＰＵ２０によって通信・電源Ｉ／Ｆ３０を介して管理システムにＲＦＩＤ接続要求がなされてステップ２５７へ移行する。これによって、管理システム側では、上述のステップ２０２が肯定される。
【０１３４】
次にステップ２５７では、管理システムから送信されたＡＰ−ＩＤを受信したか否かＣＰＵ２０によって判定される。該判定は、上述のステップ２０３で管理システムから送信される管理システムに対応する全種類のＡＰ−ＩＤを受信して、メモリ２４に記憶されたセキュリティカードテーブル５８に、対応するＡＰ−ＩＤがあるか否かを判定することによってなされ、該判定が否定された場合には、ステップ２６０へ移行する。
【０１３５】
ステップ２６０では、所定時間経過したか否かＣＰＵ２０によって判定され、該判定が否定された場合にはステップ２５７に戻って上述の処理が繰り返され、ステップ２５７の判定が肯定されるかステップ２６０の判定が肯定されるまで繰り返され、ステップ２６０の判定が肯定された場合には、セキュリティカードが管理システムに対応していないので、そのまま通信接続の処理を終了する。
【０１３６】
一方、ステップ２５７の判定が肯定された場合、すなわち、管理システムから送信されるＡＰ−ＩＤの中にセキュリティカードに対応するＡＰ−ＩＤがある場合にはステップ２７０へ移行して、認証された指紋情報に対応するＡＰ−ＩＤが特定されてステップ２７２へ移行する。すなわち、メモリ２４に記憶されたセキュリティカードテーブル５８から認証された指紋情報に対応するシステムのＡＰ−ＩＤを読み出す。なお、本実施形態では、セキュリティーカードに予め登録されたシステムが、管理システムに適合する場合を前提として示すが、セキュリティカードに予め登録されたシステムが管理システムに適合するか否か分からない場合には、ステップ２５７の判定が肯定された場合に、指紋認証で認証されたアプリケーションが管理システム側に適合するか否かを判定する処理を追加するようにしてもよい。この場合、管理システムに適合しない場合にはそのまま処理を終了し、適合する場合にはステップ２７０へ移行するようにすればよい。
【０１３７】
ステップ２７２では、ステップ２７０で特定されたシステム（ＡＰ−ＩＤ）に対応するデザインが表示される。すなわち、特定されたシステム（ＡＰ−ＩＤ）に対応するデザイン画像を選択して、画像Ｉ／Ｆ２２を介してデザイン表示部１４への表示を行う。これによって、セキュリティカードの表面が、図１に示すように、管理システムに対応する画像が表示される。
【０１３８】
次にステップ２７４では、特定されたＡＰ−ＩＤ用のＩＤ及びＰＷが特定されたＡＰ−ＩＤと共に選択情報としてＣＰＵ２０によって通信・電源Ｉ／Ｆ３０を介して管理システムに送信されてステップ２７６へ移行する。すなわち、ＣＰＵ２０はセキュリティカードテーブル５８から特定されたＡＰ−ＩＤに対応するＡＰ−ＩＤ用のＩＤ及びＰＷをメモリ２４から選択して通信・電源Ｉ／Ｆ３０を介して管理システムに送信する。これによって、管理システム側では上述のステップ２０５で選択情報を受信して、ステップ２０７の判定が行われて認証を行うことができる。
【０１３９】
ステップ２７６では、接続許可を受信したか否かＣＰＵ２０によって判定される。該判定は、管理システム側の上述のステップ２１０で送信される接続許可を受信したか否かを判定することによってなされ、該判定が肯定された場合には、通信接続時の処理を終了する。すなわち、管理システムから接続許可を受信することによって認証が完了する。
【０１４０】
一方、ステップ２７６の判定が否定された場合には、ステップ２７８へ移行して、エラーメッセージが表示されて、通信接続時の処理を終了する。例えば、ＣＰＵ２０によって予めメモリ２４に記憶されたエラーメッセージを画像Ｉ／Ｆ２２を介してデザイン表示部１４に表示する。これによって接続が拒否されたことをデザイン表示部１４の表示で判断することができる。
【０１４１】
なお、管理システムの認証後は、使用可否が管理システムが使用できるか否かで認識することができるので、ステップ２７６及びステップ２７８は省略するようにしてもよい。
【０１４２】
このようにセキュリティカードシステムを構成して処理を行うことによっても第１実施形態と同様の効果を得ることができる。
【０１４３】
また、第２実施形態では、管理システム４１が複数種類のシステムに対応している場合に、セキュリティカード１１にシステムを選択する機能を第１実施形態に対して更に備えて、所望のシステムを選択して認証を行うようにしたが、第３実施形態では、登録時に、例えば、親指、人差し指等の指毎に対応させてシステムの登録を行っておくことで、指紋認証を行うだけで、利用するシステムを自動的に選択することができる。
【０１４４】
なお、第３実施形態では、指毎に指紋情報を登録するようにしたが、家族等のカードを共有する人毎に指紋情報を予め登録して、人ごとに利用するシステムを自動選択するようにしてもよい。
【０１４５】
また、上記の各実施形態では、デザイン表示部１４に画像が表示された場合には、次にリーダライタ４２から電源供給されるまで画像が表示されたままになるが、セキュリティカード１０にコンデンサ等の蓄電手段を設けて所定時間後に、デザイン表示部１４の表示画像を消去する処理を追加するようにしてもよい。
【０１４６】
また、上記の各実施形態では、セキュリティカードに指紋認証機能を備えるようにしたが、これに限るものではなく、例えば、声紋認証、体温認証、静脈認証、筆跡情報等の各種生体認証を指紋認証の代わりに適用するようにしてもよい。
【図面の簡単な説明】
【０１４７】
【図１】本発明の第１実施形態に係わるセキュリティカードシステムの概略構成を示す図である。
【図２】（Ａ）は本発明の第１実施形態に係わるセキュリティカードの構成を示す図であり、（Ｂ）は本発明の第１実施形態に係わるセキュリティカードシステムの構成を示すブロック図である。
【図３】本発明の実施の形態に係わるセキュリティカードシステムにおいて認証情報登録時の管理システムで行われる処理の流れの一例を示すフローチャートである。
【図４】本発明の実施の形態に係わるセキュリティカードシステムにおいて認証情報登録時のセキュリティカードで行われる処理の流れの一例を示すフローチャートである。
【図５】（Ａ）は管理システムに記憶される管理システムテーブルを含む内容を示す図であり、（Ｂ）はセキュリティカードのメモリに記憶されるセキュリティカードテーブルを含む内容を示す図である。
【図６】本発明の第１実施形態に係わるセキュリティカードシステムにおいて通信接続時に管理システムで行われる処理の流れの一例を示すフローチャートである。
【図７】本発明の第１実施形態に係わるセキュリティカードシステムにおいて通信接続時にセキュリティカードで行われる処理の流れの一例を示すフローチャートである。
【図８】（Ａ）は本発明の第２実施形態に係わるセキュリティカードの構成を示す図であり、（Ｂ）は本発明の第２実施形態に係わるセキュリティカードシステムの構成を示すブロック図である。
【図９】本発明の第２実施形態に係わるセキュリティカードシステムにおいて通信接続時に管理システムで行われる処理の流れの一例を示すフローチャートである。
【図１０】本発明の第２実施形態に係わるセキュリティカードシステムにおいて通信接続時にセキュリティカードで行われる処理の流れの一例を示すフローチャートである。
【図１１】管理システムが複数種類のシステムに対応している場合に、対応するシステムのデザイン画像の一部等を全種類分表示した一例及びシステムが選択された時に表示される画像の一例を示す図である。
【図１２】第３実施形態において、指紋に対応してシステム登録された場合のセキュリティカードテーブルを含むメモリに記憶される内容の一例を示す図である。
【図１３】本発明の第３実施形態に係わるセキュリティカードシステムにおいて通信接続時にセキュリティカードで行われる処理の流れの一例を示すフローチャートである。
【符号の説明】
【０１４８】
１０、１１    セキュリティカード
１２    指紋入力部
１４    デザイン表示部
１６    システムＬＳＩ
１８    アンテナ通信部
２０    ＣＰＵ
２２    画像Ｉ／Ｆ
２４    メモリ
２６    指紋認証エンジン
２８    指紋Ｉ／Ｆ
３０    通信・電源Ｉ／Ｆ
３２    選択入力部
３４    入力Ｉ／Ｆ
４０、４１    管理システム
４２    リーダライタ
４４    ＡＰシステムデザイン
４６    ＡＰ−ＩＤ
４８    管理システムテーブル
５０    カード固有ＩＤ
５２    指紋情報
５４    個人情報
５６、５８    セキュリティカードテーブル
【図１】
2006268570.tif 000003
【図２】
2006268570.tif 000004
【図３】
2006268570.tif 000005
【図４】
2006268570.tif 000006
【図５】
2006268570.tif 000007
【図６】
2006268570.tif 000008
【図７】
2006268570.tif 000009
【図８】
2006268570.tif 000010
【図９】
2006268570.tif 000011
【図１０】
2006268570.tif 000012
【図１１】
2006268570.tif 000013
【図１２】
2006268570.tif 000014
【図１３】
2006268570.tif 000015